(57)【要約】【課題】複数の表示記録媒体に、連続的に画像を書き込む場合に、露光手段の表面や表示記録媒体に発生し得るキズや機械的磨耗を回避し、かつ、露光によって書き込まれた画像の解像度が低下するのを防止することが可能な、画像書込装置の提供を目的とする。【解決手段】画像を表す光を照射する露光部１３を備え、画像を表す光の照射と電圧の印加とにより該画像が記録される表示記録媒体１に、露光部１３から画像を表わす光を照射することにより該画像を記録する画像書込装置において、表示記録媒体を搬送する搬送部材３，４，６と、搬送部材により所定の位置に搬送された表示記録媒体１を支持して表示記録媒体１が露光部１３に接触する接触位置と表示記録媒体１が露光部１３から離間する離間位置との間を移動する移動部材５とを備えた。【選択図】　図１
2004106495.tif 000002
【特許請求の範囲】
【請求項１】
画像を表す光を照射する露光部を備え、画像を表わす光の照射と電圧の印加とにより該画像が記録される表示記録媒体に、前記露光部から前記画像を表わす光を照射することにより該画像を記録する画像書込装置において、
前記表示記録媒体を搬送する搬送部材と、
前記搬送部材により所定の位置に搬送された表示記録媒体を支持して該表示記録媒体を前記露光部に接触させる接触位置と該表示記録媒体を該露光部から離間させる離間位置との間を移動する移動部材とを備えたことを特徴とする画像書込装置。
【請求項２】
前記所定の位置に搬送された表示記録媒体を検知するセンサを備え、
前記移動部材は、前記センサで前記表示記録媒体が検知されると、前記接触位置に移動し、前記露光部は、該露光部に接触した前記表示記録媒体に前記画像を表わす光を照射するものであることを特徴とする請求項１記載の画像書込装置。
【請求項３】
前記移動部材は、前記表示記録媒体に前記画像が記録されると、前記離間位置に移動し、前記搬送部材は、前記移動部材が前記離間位置に移動することにより前記所定の位置に移動した前記表示記録媒体を搬送するものであることを特徴とする請求項１記載の画像書込装置。
【請求項４】
前記表示記録媒体は、対向する一対の基板それぞれの内面に形成された電極間に、液晶からなる表示層と光の照射により抵抗値が変化する光導電層とが積層され、該一対の基板のうちの一方の表面に該電極それぞれと導通するそれぞれの電極端子が形成されたものであって、
前記露光部に接触した前記表示記録媒体の前記電極端子に所定の電圧を印加する電圧印加部を備えたことを特徴とする請求項２記載の画像書込装置。
【発明の詳細な説明】
【０００１】
【発明の属する技術分野】
本発明は、画像を表わす光の照射と電圧の印加とにより画像が記録される表示記録媒体に、画像を書き込む画像書込装置に関する。
【０００２】
【従来の技術】
従来から、原稿画像の反射光を帯電した光導電性誘電体に直接結像させて静電潜像を形成し、その静電潜像を着色粉体等を用いて顕像化するアナログ方式の電子写真プロセスと、イメージセンサで読み取ったアナログ信号をデジタル化して画像処理を施し、再びアナログ化した信号でレーザを駆動することにより静電潜像を形成するディジタル方式の電子写真プロセスが広く知られている。
【０００３】
しかしながら、何れの方式の電子写真プロセスにおいても、誘電体上に形成された静電潜像に着色粉体を付着させて顕像化し、用紙上に転写および定着して複写画像を得るプロセスが必要となるので、手に持てる程度にまで装置を小型化することは困難である上、潜像は瞬間的に形成できても、顕像化プロセスが必要であり、瞬間的に複写画像を得るのは不可能である。
【０００４】
一方、電子写真プロセスとは別に、電極間に強誘電液晶を封入するとともに一方の電極に光電変換膜を積層した表示記録媒体に、原稿画像を表わす２次元的な露光光を照射し、その光量分布を光電変換膜の抵抗分布に変換することにより、表示記録媒体の印加電圧により強誘電液晶層に加わる分圧分布に応じた画像を強誘電液晶層に瞬間的に記録して複写画像を得る画像書込装置がある（特許文献１参照）。
【０００５】
光の照射と電圧の印加とによって画像が可視的かつ消去自在にメモリされる光書き込み型表示記録媒体を１枚ずつ、フラットパネルディスプレイなどの２次元的な露光手段に密着させ、画像情報を光学パターンに変換して露光手段から照射し、画像を書き込むものである。
【０００６】
【特許文献１】特開２００１−３０１２３３号公報（段落番号００３８、段落番号００４４〜００４７、段落番号００６５〜００６６、図３、図４、図７）
【０００７】
【発明が解決しようとする課題】
しかしながら、複数枚の表示記録媒体に連続的に画像を書き込む場合には、露光手段に対し複数の表示記録媒体を順次搬送しながら密着させ、画像を書き込む必要がある。そこで、露光手段の表面と接触する状態で表示記録媒体を搬送すると、露光手段表面に機械的な磨耗やキズが発生する恐れがある。一方、露光手段表面と離間した状態で表示記録媒体を搬送すると、露光手段から照射された光によって画像を書き込むときに投影像がボケて、書き込まれた画像の解像度が低下する恐れがある。
【０００８】
本発明は、上記事情に鑑み、複数の表示記録媒体に、連続的に画像を書き込む場合に、露光手段の表面や表示記録媒体に発生し得るキズや機械的磨耗を回避し、かつ、露光によって書き込まれた画像の解像度が低下するのを防止することが可能な、画像書込装置の提供を目的とする。
【０００９】
【課題を解決するための手段】
上記の目的を達成する本発明の画像書き込み装置は、画像を表す光を照射する露光部を備え、画像を表わす光の照射と電圧の印加とにより該画像が記録される表示記録媒体に、上記露光部から上記画像を表わす光を照射することにより該画像を記録する画像書込装置において、
上記表示記録媒体を搬送する搬送部材と、
上記搬送部材により所定の位置に搬送された表示記録媒体を支持して該表示記録媒体が前記露光部に接触する接触位置と該表示記録媒体が該露光部から離間する離間位置との間を移動する移動部材とを備えたこことを特徴とする。
【００１０】
このように、搬送部材と移動部材とを別々に備え、表示記録媒体を所定の位置に搬送し、搬送された表示記録媒体を露光部に接触させて画像を記録し、画像が記録された後に表示記録媒体を露光部から離間させ、離間させた後に表示記録媒体を搬送するので、露光部や、表示記録媒体に傷がつかない。
【００１１】
【発明の実施の形態】
以下に、本発明の画像書込装置の実施形態について説明する。
【００１２】
図１および図２は、第１の実施形態の画像書込装置の概略構成図であり、図１は、側面から見た概略側面図であり。図２は、上方からから見た概略平面図である。
【００１３】
図１に示す画像書込装置は、装置側面に設けられた表示記録媒体を挿入する表示媒体挿入口２０と、表示記録媒体挿入口２０から挿入された表示記録媒体１を載置する、水平方向に延びる媒体搬送用ガイドレール３と、媒体搬送用ガイドレール３に載置された表示記録媒体１を押圧して回転することにより、表示記録媒体１を搬送する２つの媒体搬送ローラ４と、媒体搬送ローラ４により搬送された表示記録媒体を、媒体搬送用ガイドレール３に隣接して配置された上下位置可動ステージ５上の所定の位置に搬送する媒体搬送ベルト６と、媒体搬送ベルト６により表示記録媒体１が所定の位置に搬送されたことを検知する媒体検知用センサ８と、所定の位置に搬送された表示記録媒体１を載置して、表示記録媒体１が露光部１３に接触する接触位置と表示記録媒体１が露光部１３から離間する離間位置との間を矢印Ａ方向又はＢ方向に移動する上下位置可動ステージ５と、所定のタイミングで回転することにより上下位置可動ステージ５を矢印Ａ方向又はＢ方向に移動させる扁心カム７と、所定のタイミングで画像を表わす光を表示記録媒体に照射する透過光型のＬＣＤパネル１２およびその背面に備えた指向性バックライト１１を有する露光部１３とを備えている。
【００１４】
露光部には、さらに、外部から入力された画像データを画像処理してＬＣＤパネル１２に表示させたり、媒体検知用センサ８の検知結果に基づいて、上下位置可動ステージ５を矢印Ａ方向又はＢ方向に移動させたりする制御部１０と、表示記録媒体１に所定の電圧を印加するパルス電源１５とが備えられている。
【００１５】
図２に示すように、画像書込装置は、表示媒体挿入口２０から挿入された表示記録媒体１を載置する、水平方向に延びる媒体搬送用ガイドレール３と、所定の方向に回転して、媒体搬送用ガイドレール３上に載置された表示記録媒体１を矢印Ｃ方向に搬送する２つの媒体搬送ローラ４と、媒体搬送用ガイドレール３に隣接して配置された上下位置可動ステージ５とを備えている。上下位置可動ステージ５は、長方形の溝が矢印Ｃ方向に４本、矢印Ｃ方向に直交する方向に２本刻まれている。矢印Ｃ方向の４本の溝のうち、中央の２本の溝には、媒体搬送ベルト６が配置され、表示記録媒体を媒体搬送用ガイドレール３と同一平面に沿って所定の位置に搬送する。また、外側の２本の溝には、位置決めフレーム９が配置され、表示記録媒体１が所定の位置に配置されるようガイドする。さらに、矢印Ｃ方向に直交する方向の２本の溝には、位置決めフレーム９が配置され、表示記録媒体１を所定の位置で停止させる。また、表示記録媒体１が所定の位置で停止したときに、表示記録媒体の先端部が接する上下位置可動ステージ５上に、媒体検知用センサ８が備えられている。
【００１６】
表示媒体挿入口から表示記録媒体が挿入されると、　表示記録媒体は、媒体搬送用ガイドレール上を媒体搬送ローラによって搬送され、さらに上下位置可動ステージ５の媒体搬送ベルト６上を、位置決めフレーム９にガイドされながら搬送され、先端に位置する位置決めフレーム９で停止する。媒体検知用センサ８が表示記録媒体１の先端部を検知すると、制御部１０は、扁心カム７を回転させて上下位置可動ステージ５を矢印Ａ方向に移動させ、表示記録媒体１を露光部１３のＬＣＤパネル１２に接触させる。そして、指向性バックライトを点灯し、ＬＣＤパネル１２から画像を表わす光を表示記録媒体に照射させるとともに、パルス電源１５から表示記録媒体１に所定の電圧を印加させて画像を記録する。
【００１７】
画像が記録されると、制御部１０は、再び扁心カムを回転させ、上下位置可動ステージ５を矢印Ｂ方向に移動させ、表示記録媒体１を露光部１３から離間させる。上下位置可動ステージ５が露光部１３から離間し、表示記録媒体１が媒体搬送用ベルト６に接触すると、媒体搬送用ベルト６および媒体搬送ローラ４が反対方向に移動し、表示記録媒体１は、表示媒体挿入口２０から外部に輩出される。
【００１８】
図３は、本実施形態の画像書込装置に用いる表示記録媒体の一例を示す概略断面図である。
【００１９】
図３に一例として示す表示記録媒体は、対向する一対のＰＥＴフィルム基板１０１と、ＰＥＴフィルム基板１０１の内側に設けられた透明な一対のＩＴＯ（酸化インジウム錫）電極１０２膜と、一対の電極１０２間に積層された、光が照射されると抵抗値が変化する光導電層１１０、光導電層１１０と表示層１０４を分離する透明な隔離層１０５、およびマイクロカプセルに内包されたカイラルネマチック液晶素材を含有する表示層１０４と、光導電層１１０に隣接する裏面側のＰＥＴフィルム基板１０１の外側に積層され、裏面側のＰＥＴフィルム基板１０１を経由して光導電層１１０に外部光が侵入するのを防止する光吸収層１２０と、表示層１０４に隣接する表面側のＰＥＴフィルム基板１０１の表面に形成され、一対の電極１０２膜それぞれと導通する一対の表面電極端子１０３とにより構成されている。なお、光導電層１１０は、電荷輸送層１０７の両側に電荷発生層１０６が積層されている。
【００２０】
表面側のＰＥＴフィルム基板１０１を介して画像を表わす書き込み光が照射されるとともに、一対の表面電極端子１０３に所定の電圧が印加されると、表示層１０４に、書き込み光の光量分布に基づく画像が記録される。
【００２１】
この表示記録媒体は、例えば以下の方法により作成することができる。
【００２２】
正の誘電率異方性を有するネマチック液晶Ｅ８（メルク社製）７４．８部に、カイラル剤ＣＢ１５（ＢＤＨ社製）２１部とカイラル剤Ｒ１０１１（メルク社製）４．２部とを加熱溶解後、室温に戻すことにより、ブルーグリーンの色光を選択反射するカイラルネマチック液晶を生成する。
【００２３】
このブルーグリーン色のカイラルネマチック液晶１０部にキシレンジイソシアネート３モルとトリメチロールプロパン１モルとの付加物（武田薬品工業製Ｄ−１１０Ｎ）３部と酢酸エチル１００部を加えて均一溶液とし、油相となる液を調整する。
【００２４】
一方、ポリビニルアルコール（クラレ社製ポバール２１７ＥＥ）１０部を、熱したイオン交換水１０００部に加えて撹拌後、放置冷却することによって、水相となる液を調整する。
【００２５】
次に、スライダックで３０Ｖに調整した交流電圧を印加した家庭用ミキサーによって放置冷却によって調整した水相中に、上述した油相を１分間乳化分散して、水相中に油相液滴が分散した水中油エマルジョンを調整する。この水中油エマルジョンを６０℃のウォーターバスで加熱しながら２時間撹拌し、界面重合を完了させて、液晶マイクロカプセルを形成する。これら液晶マイクロカプセルの平均粒径は、レーザー粒度分布計によって約１２μｍと見積もられる。
【００２６】
マイクロカプセル分散液を、網目３８μｍのステンレスメッシュを通して濾過後一昼夜放置し、乳白色の上澄みを取り除くことによりマイクロカプセルからなる固形成分約３９０質量％のスラリーを得る。
【００２７】
次に、スラリーに対し、マイクロカプセルからなる固形成分の質量の２／３となる量のポリビニルアルコールを含む、ポリビニルアルコール１０質量％の溶液を加えることにより塗布液を調整する。
【００２８】
そして、１２５μｍ厚ＩＴＯ電極膜が形成された表面側のＰＥＴフィルムのＩＴＯ電極膜上に、その塗布液を＃４４のワイヤーバーで塗布することにより、表示層を作製する。
【００２９】
次に、裏面側のＰＥＴフィルムのＩＴＯ電極膜上に、有機材料からなる光導電層を形成する。
【００３０】
まず、ＩＴＯ電極上に光導電層の第１の電荷発生層として、ヒドロキシガリウムフタロシアニンとバインダー樹脂であるポリビニルブチラールを１：１に混合したプロパノール分散液をスピンコート法により基板に塗布後、乾燥させ、０．２ｕｍの厚さに形成する。
【００３１】
次に、電荷発生層の上に電荷輸送層を形成する。まず、電荷輸送材Ｎ、Ｎ−Ｂｉｓ（３、４−ｄｉｍｅｔｈｙｌｐｈｅｎｙｌ）ｂｉｒｈｅｎｙｌ−４−ａｍｉｎｅ、とバインダー樹脂ＰｏｌｙＣａｒｂｏｎａｔｅ　ｂｉｓｐｈｅｎｏｌ−Ｚ、（ポリ（４、４’−シクロヘキシリデンジフェニレンカーボネート））をそれぞれ４０質量％、６０質量％の割合で混合した後、これをモノクロロベンゼンに溶解させ１０％の溶液を作製し、この溶液をディップコートにより、１２０ｍｍ／分の速度で引き上げ、電荷発生層上に３μｍ厚の電荷輸送層を形成する。
【００３２】
更に、第２の電荷発生層を第１の電荷発生層と同様の材料、手順で０．２μｍ厚に形成し、その上に透明な隔離層としてスピンコート法により、ＰＶＡを塗布する。
【００３３】
次に、マイクロカプセルカイラルネマチック液晶からなる表示層上に、光導電層を作製したＰＥＴフィルムのＰＶＡ面上に完全水性型ドライラミネート接着剤であるディックドライＷＳ−３２１Ａ／ＬＤ−５５（大日本インキ化学工業）を塗布乾燥させて４μｍ厚の接着層を形成した後に密着させ７０℃においてラミネートを行った。ラミネート後の表示記録媒体の光導電層側のＰＥＴフィルムに黒色顔料を分散した塗料を塗布し、光吸収層を形成した。
【００３４】
このような方法によって作成した表示記録媒体を用いて、図１および図２を用いて説明した画像書込装置で画像の書き込みを行なったところ、表示記録媒体には、照射した光の画像記録面での反射光のパターンに基く、緑色の選択波長反射を示すプレーナ状態、又は光透過による背景色（ここでは、光吸収層の黒色）を示すフォーカルコニック状態よりなるコントラストが高く、ボケのない画像が形成された。また、露光部のＬＣＤパネル表面には傷がつかなかった。
【００３５】
次に第２の実施形態について説明する。
【００３６】
図４〜図６は、第２の実施形態の画像書込装置を示す概略構成図であり、　図４は、側面概略構成図であり、図５は、内部を示す側面概略図であり、図６は、正面概略構成図である。
【００３７】
図４に示す画像書込装置は、図に現れない露光部と、表示記録媒体１を挟んで対向位置で回転することにより表示記録媒体１を所定の位置に搬送する２つの表示媒体搬送用駆動ローラ３４および２つの表示記録媒体搬送用補助ローラ３２と、表示記録媒体１を露光部に接触させる図に現れない押し付け部材を支持する押し付け部材支持ロッド３６を有する第１筐体部４１と、表示記録媒体１に電圧を印加するパルス電源１５および表示媒体搬送用駆動ローラ３４を駆動させたり、図に現れない露光部から表示記録媒体１に画像を表わす光を照射させる制御部１０が収容された第２筐体部４０と、第１筐体部４１を、第２筐体部４０に対して斜めに支持する、伸縮自在の長尺支持シャフト４２と、短尺の固定部材４３とを備えている。
【００３８】
なお、押し付け部材支持ロッド３６は、露光部側面の支持ロッド保持部材３７に形成された長孔３７ａに貫通されている。
【００３９】
長尺支持シャフト４２により斜め上方に支持された、図の上方を向いた第２筐体部４１の側面には、表示媒体給紙ガイド３３が備えられ、その表示媒体給紙ガイド３３に沿って、表示記録媒体１が挿入されると、表示記録媒体１は、２つの表示媒体搬送用駆動ローラ３４および２つの表示記録媒体搬送用補助ローラ３５により所定の位置に搬送される。
【００４０】
図５に示す、第１の筐体部４１の内部には、所定のタイミングで画像を表わす光を表示記録媒体１に照射する透過光型のＬＣＤパネル１２およびその背面に備えた指向性バックライト１１を有する露光部１３と、表示媒体搬送用駆動ローラ３４および表示記録媒体搬送用補助ローラ３２により所定の位置に搬送された表示記録媒体１を、ＬＣＤパネル１２面に接触する接触位置に移動させる押し付け部材３５と、押し付け部材３５に直交する上下２本の押し付け部材支持ロッド３６と、押し付け部材３５の両端に垂直に取り付けられた上下可動ロッド３９と、押し付け部材３５が接触位置に移動するように上下可動ロッド３９に磁力を作用させる可動ロッド駆動用電磁石３０と、可動ロッド駆動用電磁石３０による作用が解除されたときに、押し付け部材３５が、ＬＣＤパネル１２面から離間する離間位置に移動するように付勢する押し付けバネ３８とを備えている。
【００４１】
第２の筐体４０内部には、ＬＣＤパネル１２、その背面に備えた指向性バックライト１１、および表示記録媒体１の図示しない表面電極に電圧を印加するパルス電源部１５と、表示媒体搬送用駆動ローラ３４および表示記録媒体搬送用補助ローラ３２を駆動させたり、可動ロッド駆動用電磁石３０に磁力を作用させたり、パルス電源部１５から電圧を印加するタイミングを制御する制御部１０を備えている。
【００４２】
図６に示す画像書込装置は、第１筐体部４０の上方に、第２筐体部４１が位置している。
【００４３】
第２筐体部４１の正面には、図示しない露光部のＬＣＤパネルを固定した第２筐体部４０表面の両側部に、支持ロッド保持部材３７が固定されている。そして、上下２本の押し付け部材支持ロッド３６が水平に配置されるとともに、左右２本の押し付け部材３５が垂直に配置されている。表示記録媒体１は、第２筐体部４１正面の上方に配置された表示媒体給紙ガイド３３に沿って挿入され、所定の位置に配置されると、２本の押し付け部材３５が移動して、図示しない露光部のＬＣＤパネルに接触する。
【００４４】
表示記録媒体１が上部から挿入され、媒体検知用センサ３４ａが挿入された表示記録媒体１を検知すると、表示媒体搬送用駆動ローラ３４が回転し、表示記録媒体１をＬＣＤパネルから離間した状態で搬送する。そして、媒体検知用センサ３４ｂが表示記録媒体１を検知すると、表示媒体搬送用駆動ローラ３４は回転スピードを落とし、ゆっくりと表示記録媒体１を所定の位置に搬送する。そして、表示記録媒体１の先端が媒体検知用センサ３４ｃで検知されると、押し付け部材支持ロッド３６に固定された押し付け部材３５が、可動ロッド駆動用電磁石３０の磁力で移動し、表示記録媒体１をＬＣＤパネル面に接触させる。
【００４５】
表示記録媒体１がＬＣＤパネル面に接触すると、パルス電源部１５から表示記録媒体１に電圧が印加されると共に、図示しない指向性バックライトが発光することにより、表示記録媒体１に、ＬＣＤパネルに表示された画像が記録される。
【００４６】
表示記録媒体１に画像が記録されると、可動ロッド駆動用電磁石３０の磁力から解放された押し付け部材３５は、押し付けバネ３８の力でＬＣＤパネル面から離間する離間位置に移動するので、表示記録媒体１もＬＣＤパネル面から離間し、表示媒体搬送用駆動ローラ３４が逆回転して表示記録媒体１を排出する。
【００４７】
図７は、本実施形態の画像書込装置に用いる表示記録媒体の一例を示す概略断面図である。
【００４８】
図７に示す表示記録媒体は、対向する一対のＰＥＴフィルム基板１０１と、ＰＥＴフィルム基板１０１の内側に設けられた透明な一対のＩＴＯ（酸化インジウム錫）電極１０２膜と、一対の電極１０２膜間に積層された、光が照射されると抵抗値が変化する光導電層１１０、マイクロカプセルに内包されたカイラルネマチック液晶素材を含有する表示層１０４および光導電層１１０と表示層１０４との間に形成された、表面側のＰＥＴフィルム基板１０１を経由して光導電層１１０に外部光が侵入するのを防止する光吸収層１２０と、光導電層１１０に隣接するＰＥＴフィルム基板１０１の表面に形成され、一対の電極１０２膜それぞれと導通する一対の表面電極端子１０３とにより構成されている。なお、光導電層１１０は、電荷輸送層１０７の両側に電荷発生層１０６が積層されている。
【００４９】
本実施形態に用いる表示記録媒体１は、光導電層１１０に隣接するＰＥＴフィルム基板１０１側から書き込み光を照射するため、第１の実施形態で説明した表示記録媒体と異なり、表示層１０４と光導電層１１０との間に、黒色樹脂からなる光吸収層１２０がスピンコートにより塗布されている。
【００５０】
【発明の効果】
以上、説明したように、本発明の画像書込装置によれば、表示記録媒体の搬送部材と移動部材とを別々に備え、表示記録媒体を所定の位置に搬送し、搬送された表示記録媒体を露光部に接触させて画像を記録し、画像が記録された後に表示記録媒体を露光部から離間させ、離間させた後に表示記録媒体を搬送するので、露光部や、表示記録媒体に傷をつけることなく、複数の表示記録媒体に連続して画像を記録することができる。
【図面の簡単な説明】
【図１】第１の実施形態の画像書込装置の概略構成図（側面図）である。
【図２】第１の実施形態の画像書込装置の概略構成図（平面図）である。
【図３】本実施形態の画像書込装置に用いる表示記録媒体の一例を示す概略断面図である。
【図４】第２の実施形態の画像書込装置を示す概略構成図（側面図）である。
【図５】第２の実施形態の画像書込装置を示す概略構成図（内部を示す側面図）である。
【図６】第２の実施形態の画像書込装置を示す概略構成図（正面図）である。
【図７】本実施形態の画像書込装置に用いる表示記録媒体の一例を示す概略断面図である。
【符号の説明】
１　表示記録媒体
３　媒体搬送用ガイドレール
４　媒体搬送ローラ
５　上下位置可動ステージ
５ａ　スリット
６　媒体搬送ベルト
７　扁心カム
８，３４ａ，３４ｂ　媒体検知用センサ
９　位置決めフレーム
１０　制御部
１１　指向性バックライト
１２　ＬＣＤパネル
１３　露光部
１５　パルス電源
１５ａ，１５ｂ　電圧印加端子
２０　表示記録媒体挿入口
３０　可動ロッド駆動用電磁石
３２　表示媒体搬送用補助ローラ
３３　表示媒体給紙ガイド
３４　表示媒体搬送用駆動ローラ
３５　押し付け部材
３６　押し付け部材支持ロッド
３７　支持ロッド保持部材
３７ａ　長孔
３８　押し付けバネ
３９　上下可動ロッド
４０　第２筐体部
４１　第１筐体部
４２　支持シャフト
４３　固定部材
１０１　ＰＥＴフィルム透明電極基板
１０２　内部透明電極
１０３　表面電極端子部
１０４　カイラルネマチック液晶表示層
１０５　隔離層
１０６　電荷発生層
１０７　電荷輸送層
１１０　光導電層
１２０　光吸収層
【図１】
2004106495.tif 000003
【図２】
2004106495.tif 000004
【図３】
2004106495.tif 000005
【図４】
2004106495.tif 000006
【図５】
2004106495.tif 000007
【図６】
2004106495.tif 000008
【図７】
2004106495.tif 000009